(57)【特許請求の範囲】
【請求項１】
時計体と、
前記時計体を収容する略筒状の胴と、
風防ガラスの周縁部を保持し、前記胴に固定されるガラス縁と、
前記胴における前記ガラス縁が設けられる側とは反対側に固定される裏蓋と、を備え、
前記胴は、前記時計体をねじによって固定する複数の時計体固定部と、前記ガラス縁をねじによって固定する複数の縁固定部と、前記裏蓋をねじによって固定する複数の裏蓋固定部とを有し、
前記各時計体固定部、前記各縁固定部、および前記各裏蓋固定部のそれぞれに設けられる前記ねじは、前記胴の軸線方向に略沿っており、
前記各時計体固定部、前記各縁固定部、および前記各裏蓋固定部はそれぞれ、前記胴の周方向の異なる位置で且つ、前記時計体における前記胴に対向する外周部の形状に略相似形の固定基準位置に配置されている
ことを特徴とする時計。
【請求項２】
請求項１に記載の時計において、
前記ガラス縁と前記胴との間、および前記裏蓋と前記胴との間のそれぞれには、前記胴の周方向に沿った環状の弾性部材が介装されている
ことを特徴とする時計。
【請求項３】
請求項１または２に記載の時計において、
前記胴および前記時計体は、平面視略円形状であり、
前記各時計体固定部、前記各縁固定部、および前記各裏蓋固定部はそれぞれ、前記時計体の平面中心から同一半径内の位置に配置されている
ことを特徴とする時計。
【請求項４】
請求項１から３のいずれかに記載の時計において、
前記各時計体固定部、前記各縁固定部、および前記各裏蓋固定部のうち前記胴の周方向で隣合う少なくとも２つは、互いに連設されている
ことを特徴とする時計。
【請求項５】
請求項１から４のいずれかに記載の時計において、
前記時計体が前記胴に収容されている状態において、前記胴には、または前記胴の内側には、前記縁固定部に設けられる前記ねじの軸線方向に沿った部分を含む空隙が形成されている
ことを特徴とする時計。
【請求項６】
請求項１から５のいずれかに記載の時計において、
前記胴は、前記時計体固定部、前記縁固定部、および前記裏蓋固定部を含む胴本体と、前記胴本体の前記時計体に対向する側に設けられる耐磁部材とを有し、
前記耐磁部材は、前記各時計体固定部、前記各縁固定部、および前記各裏蓋固定部が配置されている部分を除く前記時計体と前記胴本体との間の空間をほぼ埋めるように形成されている
ことを特徴とする時計。
【請求項７】
請求項２から６のいずれかに記載の時計において、
前記胴と前記ガラス縁との間に介装される前記弾性部材の径と、前記胴と前記裏蓋との間に介装される前記弾性部材の径とは、同一である
ことを特徴とする時計。
【請求項８】
請求項１から７のいずれかに記載の時計において、
前記裏蓋は、環状の裏蓋リングと、この裏蓋リングの内周部に設けられる裏側ガラスとを含んで構成され、
前記裏蓋リングは、前記裏蓋固定部を隠す位置に設けられている
ことを特徴とする時計。
【請求項９】
請求項１から８のいずれかに記載の時計において、
前記ガラス縁および前記裏蓋の少なくとも一方は、前記胴の軸線方向に沿って突出し、前記胴の一部と当該胴の周方向に係合する係合部を有する
ことを特徴とする時計。
【請求項１０】
請求項９に記載の時計において、
前記胴には、前記各時計体固定部および前記各縁固定部の少なくともいずれかに設けられる前記ねじの軸線方向に沿った部分を含む空隙が形成され、
前記係合部は、前記胴における前記空隙の周縁部に係合する
ことを特徴とする時計。
【請求項１１】
時計体と、
略筒状の胴部および蓋部を有して前記時計体を収容するケースと、
風防ガラスの周縁部を保持し、前記胴部に固定されるガラス縁と、を備え、
前記胴部は、前記時計体をねじによって固定する複数の時計体固定部と、前記ガラス縁をねじによって固定する複数の縁固定部とを有し、
前記各時計体固定部および前記各縁固定部のそれぞれに設けられる前記ねじは、前記胴部の軸線方向に略沿っており、
前記各時計体固定部および前記各縁固定部はそれぞれ、前記ケースの周方向の異なる位置で且つ、前記時計体における前記胴部に対向する外周部の形状に略相似形の固定基準位置に配置されている
ことを特徴とする時計。
【発明の詳細な説明】
【技術分野】
【０００１】
本発明は、時計に関する。詳しくは胴、ガラス縁、裏蓋等の外装部品、および時計体の固定構造に関する。
【背景技術】
【０００２】
従来の時計、特に防水性能が高い時計では、図１０に示すように、ガラス縁９４が胴９２の上端縁に環状の樹脂製パッキンＰＫを介装した状態で圧入されていることが一般的である。ガラス縁に用いられる樹脂製パッキンは、ゴム製パッキンに比べて硬く、防水部材として使用されるだけでなく、胴にガラス縁を固定する固定部材としても使用されている。また、防水時計に用いられる裏蓋の固定構造としては、図１０に示すように、外周縁にねじが刻設されスクリューとされた裏蓋９５が胴９２の下端縁にねじ込まれる構造が知られている。なお、裏蓋がねじで胴に固定される場合もある（特許文献１）。
一方、時計体（ムーブメント）９１は、時計体９１の外周部における二箇所程度を胴９２の内周部に形成された固定部や円筒状の枠体（スペーサ）９６にねじで固定することによって胴９２に固定されていた。
【０００３】
【特許文献１】特開２０００−２０５２２２号公報
【発明の開示】
【発明が解決しようとする課題】
【０００４】
ガラス縁に樹脂製パッキンが用いられる構造では、ガラス縁を時計の厚み方向に厚くすることでガラス縁と胴との間の樹脂製パッキンの所定の抜き力が確保されるため、所定の固定強度を確保する必要上、ガラス縁および胴が時計厚み方向に厚くなる。
また、裏蓋がスクリュー構造の場合、裏蓋および胴にねじを刻設する以上、裏蓋や胴に所定の肉厚、所定の厚み（時計厚み方向の寸法）が必要となるため、裏蓋や胴が厚く、大型とならざるを得ない。
【０００５】
ここで、従来におけるガラス縁、時計体、および裏蓋の固定構造では、ガラス縁の全周、時計体の全周、裏蓋の全周が固定に必要となるため、これらの固定構造を納まりよく配置できず、固定強度上必要となる厚みや径以上に、胴に無駄な肉が生じるという問題があった。すなわち、樹脂製パッキンによる固定、裏蓋のスクリュー止め、時計体のねじ止めのそれぞれに時計の外周部のスペースが必要であり、ガラス縁を固定する樹脂製パッキンの位置を避けて時計体の固定部を配置し、時計体の固定部を避けて裏蓋の固定部を配置することなどによって、胴が大径化してしまう。
このように、ガラス縁、裏蓋、時計体のそれぞれが違う固定手段を採ることにより、ガラス縁、裏蓋、胴のそれぞれが厚くなり、時計の大型化や重量増加を招いていた。なお、ガラス縁、裏蓋、時計体の固定手段が別々に設計されることが問題であり、裏蓋がねじで固定される構造（特許文献１）においてもやはり、ある程度時計が大型化するのは仕方なかった。
【０００６】
そこで、本発明の目的は、胴、ガラス縁、裏蓋、および時計体に係る固定構造に関し、スペースの効率化を図り、胴やガラス縁、裏蓋の細肉化を実現することにある。
【課題を解決するための手段】
【０００７】
本発明の時計は、時計体と、前記時計体を収容する略筒状の胴と、風防ガラスの周縁部を保持し、前記胴に固定されるガラス縁と、前記胴における前記ガラス縁が設けられる側とは反対側に固定される裏蓋と、を備え、前記胴は、前記時計体をねじによって固定する複数の時計体固定部と、前記ガラス縁をねじによって固定する複数の縁固定部と、前記裏蓋をねじによって固定する複数の裏蓋固定部とを有し、前記各時計体固定部、前記各縁固定部、および前記各裏蓋固定部のそれぞれに設けられる前記ねじは、前記胴の軸線方向に略沿っており、前記各時計体固定部、前記各縁固定部、および前記各裏蓋固定部はそれぞれ、前記胴の周方向の異なる位置で且つ、前記時計体における前記胴に対向する外周部の形状に略相似形の固定基準位置に配置されていることを特徴とする。
【０００８】
この発明では、ガラス縁、裏蓋、および時計体（ムーブメント）のそれぞれの胴への固定手段がすべてねじ止め構造とされている。ねじ止め構造は、パッキンの圧入やスクリュー裏蓋とは違って局所的に設けられる固定手段であり、固定のためにガラス縁の全周や裏蓋の全周、時計体の全周を必要としないので、各縁固定部、各裏蓋固定部、および各時計体固定部のそれぞれの胴の周方向における位置を互いにずらしてこれらの固定部を時計体外周部にほぼ沿った固定基準位置に配置することが可能となる。これにより、各固定部をいずれも時計体の外周部に近接した位置に配置可能となって、スペース効率が向上するので、これらの固定部を含んで構成される胴や、胴に固定されるガラス縁、裏蓋のそれぞれを細肉にできる。これにより、時計体の大きさに対して胴やガラス縁、裏蓋が無駄に大径化しない。
なお、時計体固定部、縁固定部、および裏蓋固定部のそれぞれに共通のねじを使用することが可能である。すなわち、時計体、ガラス縁、および裏蓋のそれぞれの固定手段をすべて同じねじ止めの構成とすることによって製造が容易となり、また修理用部品の管理も容易となる。
【０００９】
また、ねじ止めにより、ねじを固定する部分以外の肉は不要となるため、ガラス縁、時計体、および裏蓋の全周を使う固定構造に比べてガラス縁や胴、裏蓋を軽量化できる。ここで、ねじで固定する部分以外の胴の肉を削ることなどで胴に使用する材料を節減できるので、特に金無垢材料などを使用する高級品においてコストダウンの効果が大きい。
【００１０】
さらに、従来のガラス縁の固定構造の場合、ガラス縁を取り外す際に治具によってキズをつけやすかったが、各時計体固定部、各裏蓋固定部、および各縁固定部のそれぞれが互いに胴の周方向の異なる位置に配置されることによって縁固定部に固定されたねじを裏蓋側から外せるため、キズをつけずにガラス縁を取り外すことが可能となる。
なお、時計体固定部、縁固定部、および裏蓋固定部は、例えば、胴の内壁から突出する凸部として形成される。
【００１１】
本発明において、前記ガラス縁と前記胴との間、および前記裏蓋と前記胴との間のそれぞれには、前記胴の周方向に沿った環状の弾性部材が介装されていることが好ましい。
【００１２】
この発明では、ガラス縁と胴との接合部に関し、ガラス縁と胴との固定をねじに、ガラス縁と胴との防水をゴムパッキンなどの弾性部材に、それぞれ分担させている。また、裏蓋と胴との接合部に関し、裏蓋と胴との固定をねじに、裏蓋と胴との防水をゴムパッキンなどの弾性部材に、それぞれ分担させている。これにより、従来の防水時計において厚肉に形成されていたガラス縁や裏蓋を薄肉にできる。
すなわち、この発明によれば、ガラス縁、裏蓋、時計体の固定手段がすべてねじ止めとされ、併せて、防水手段および固定手段がねじと弾性部材とに按分されることにより、防水性を有する時計におけるスペース効率を大幅に向上させることができる。
【００１３】
本発明において、前記胴および前記時計体は、平面視略円形状であり、前記各時計体固定部、前記各縁固定部、および前記各裏蓋固定部はそれぞれ、前記時計体の平面中心から同一半径内の位置に配置されていることが好ましい。
【００１４】
この発明によれば、各縁固定部、各裏蓋固定部、および各時計体固定部のそれぞれが時計体の外周部に沿った略円形の固定基準位置に配置されるので、胴、ガラス縁、および裏蓋のそれぞれを細肉にできる。
【００１５】
本発明において、前記各時計体固定部、前記各縁固定部、および前記各裏蓋固定部のうち前記胴の周方向で隣合う少なくとも２つは、互いに連設されていることが好ましい。
【００１６】
この発明によれば、各時計体固定部、各縁固定部、および各裏蓋固定部のそれぞれを別々に形成する場合よりも、胴の内周部の加工を簡単にできる。
なお、加工上、各時計体固定部、各裏蓋固定部、および各縁固定部のうち時計の厚み方向において同じ位置あるいは近接した位置に設けられているもの同士を連設することが好ましい。
【００１７】
本発明では、前記時計体が前記胴に収容されている状態において、前記胴には、または前記胴の内側には、前記縁固定部に設けられる前記ねじの軸線方向に沿った部分を含む空隙が形成されていることが好ましい。
【００１８】
この発明によれば、前記空隙を介して縁固定部にねじを挿入したり、縁固定部に固定されたねじを外したりすることが可能である。これにより、時計体が胴に組みつけられた状態のままでガラス縁を胴から取り外すことができるので、時計の組立後に文字板を交換したりすることが容易となる。
【００１９】
本発明において、前記胴は、前記時計体固定部、前記縁固定部、および前記裏蓋固定部を含む胴本体と、前記胴本体の前記時計体に対向する側に設けられる耐磁部材とを有し、前記耐磁部材は、前記各時計体固定部、前記各縁固定部、および前記各裏蓋固定部が配置されている部分を除く前記時計体と前記胴本体との間の空間をほぼ埋めるように形成されていることを特徴とする。
【００２０】
本発明によれば、胴本体の周方向に点在する各時計体固定部、各縁固定部、および各裏蓋固定部が設けられる部分を除いて、耐磁部材が時計体と胴本体との間の空間を埋めるように設けられるため、従来の耐磁板と比べて耐磁部材の体積を大きくできる。これによって耐磁性能を向上させることができる。従来の耐磁板は単純な筒形とされていたが、本発明のように胴本体の内側に耐磁部材および時計体が殆ど隙間無く配置された緻密な作りにより、高級感が感じられるようになる。本発明における耐磁部材は、時計体における輪列の受けや地板に倣った形状に形成することができ、この耐磁部材の複雑な形状は時計の趣味性の向上に貢献する。
【００２１】
本発明において、前記胴と前記ガラス縁との間に介装される前記弾性部材の径と、前記胴と前記裏蓋との間に介装される前記弾性部材の径とは、同一であることが好ましい。
【００２２】
従来構成では、ガラス縁に用いる弾性部材の径と裏蓋に用いる弾性部材の径とを同じにするのは難しかったが、前述のように、ガラス縁、胴、裏蓋、時計体の固定構造に関してスペース効率が向上し、縁固定部と裏蓋固定部とが同一半径内に設けられるため、ガラス縁と裏蓋とに同じ径の弾性部材を使用可能となる。本発明ではガラス縁の固定と防水とをねじと弾性部材とに按分しているため、ガラス縁に用いる弾性部材に樹脂製ではなくゴム製の弾性部材を使用できる。つまり、ガラス縁に用いる弾性部材と裏蓋に用いる弾性部材とに同種のゴム製の弾性部材を使用できるので、消耗品である弾性部材（パッキン）の部品管理などが容易となる。
【００２３】
本発明において、前記裏蓋は、環状の裏蓋リングと、この裏蓋リングの内周部に設けられる裏側ガラスとを含んで構成され、前記裏蓋リングは、前記裏蓋固定部を隠す位置に設けられていることが好ましい。
【００２４】
前述のように時計体、ガラス縁、および裏蓋の固定構造に関するスペース効率が高く、裏蓋固定部を隠す裏蓋リングの幅を細くできるため、裏蓋においてガラスが設けられる領域を拡大できる。これにより、裏蓋の大部分において、裏側ガラスを通して輪列やレバー等の精密部品が視認可能となるので、時計の外観意匠性を向上させることができる。
【００２５】
本発明において、前記ガラス縁および前記裏蓋の少なくとも一方は、前記胴の軸線方向に沿って突出し、前記胴の一部と当該胴の周方向に係合する係合部を有することが好ましい。
【００２６】
この発明によれば、係合部によってねじの固定力が補強されるので、落下衝撃などの際にガラス縁と胴との間や裏蓋と胴との間に生じるせん断力によってねじが破断することを防止できる。すなわち、ガラス縁と胴、裏蓋と胴とをより確実に固定でき、耐衝撃性を高くできる。これにより、ねじのサイズを小さくすることが可能となる。
なお、耐衝撃性をより高めるために、複数の係合部がガラス縁や裏蓋の周方向に分散して設けられることが好ましい。
【００２７】
本発明において、前記胴には、前記各時計体固定部および前記各縁固定部の少なくともいずれかに設けられる前記ねじの軸線方向に沿った部分を含む空隙が形成され、前記係合部は、前記胴における前記空隙の周縁部に係合することが好ましい。
【００２８】
この発明によれば、縁固定部や時計体固定部にねじを挿通するための空隙が係合部との係合部分を兼ねているため、係合部との係合部分を胴に別途形成することを不要にできる。これにより、胴の内周部の加工が複雑となることなく、耐衝撃性を高くできる。
【００２９】
本発明の時計は、時計体と、略筒状の胴部および蓋部を有して前記時計体を収容するケースと、風防ガラスの周縁部を保持し、前記胴部に固定されるガラス縁と、を備え、前記胴部は、前記時計体をねじによって固定する複数の時計体固定部と、前記ガラス縁をねじによって固定する複数の縁固定部とを有し、前記各時計体固定部および前記各縁固定部のそれぞれに設けられる前記ねじは、前記胴部の軸線方向に略沿っており、前記各時計体固定部および前記各縁固定部はそれぞれ、前記ケースの周方向の異なる位置で且つ、前記時計体における前記胴部に対向する外周部の形状に略相似形の固定基準位置に配置されていることを特徴とする。
【００３０】
本発明におけるケースは、胴と裏蓋とが一体のワンピースタイプとされている。本発明によれば、前述した発明と同様に、各時計体固定部および各縁固定部のそれぞれが時計体外周部に沿った固定位置基準線上に配置され、スペース効率が向上するので、前述と同様の効果を奏する。
【発明の効果】
【００３１】
以上の本発明によれば、胴、ガラス縁、裏蓋、および時計体に係る固定構造に関し、スペースの効率化が図られ、これによって胴やガラス縁、裏蓋の細肉化を実現できる。
【発明を実施するための最良の形態】
【００３２】
以下、本発明の一実施形態について図１〜図８を参照して説明する。
〔１．全体構成〕
図１および図２は、本実施形態に係る時計の縦断面図であり、図３は、本実施形態の時計の分解斜視図である。なお、図１における垂線の左側は１２時方向の断面を示し、右側は３時方向の断面を示す。
本実施形態の時計は、図示しないゼンマイなどの駆動源や駆動輪列、調速機構、ステップモータなどを有する時計体（ムーブメント）１と、時計体１を収容する略筒状の胴２と、風防ガラス３と、風防ガラス３の周縁部を保持する環状のガラス縁４と、胴２の風防ガラス３が設けられる側とは反対側に設けられる裏蓋５とを備えている。裏蓋５は、環状の裏蓋リング５１と、裏蓋リング５１の内周部に設けられる裏側ガラス５２とを有している。
なお、本実施形態の時計は、ゼンマイの駆動力により指針を駆動するとともに、ゼンマイの駆動力により発電した電力を電子回路に供給して調速を行う電子制御式機械時計とされているが、時計体の駆動方式は限定されない。本実施形態の時計は電子時計や機械時計であってもよい。
なお、図１および図２に示すように、時計体１には文字板６、指針７、巻真８が設けられている。また、２Ａは、時計バンドが取り付けられるカンである。
【００３３】
時計体１は５つのねじＦ１（図２、図３）によって胴２に固定され、ガラス縁４は６つのねじＦ４（図２、図３）によって胴２に固定され、裏蓋５は５つのねじＦ５（図１、図３）によって胴２に固定されている。これらのねじＦ１、Ｆ４、およびＦ５はそれぞれ、胴２の軸線方向に沿って設けられている。ねじＦ５の軸周りにはＯリング５１４が設けられている。
【００３４】
〔２．胴の構成〕
図４は、胴２の平面概略図である。胴２は、略筒状の胴本体２１と、胴本体２１の時計体１に対向する側に設けられる耐磁部材２２とを有している。耐磁部材２２により、外部磁界による歯車等の磁化やステップモータ等の誤動作が防止される。
【００３５】
〔２−１．胴本体の構成〕
図５は、胴本体２１を風防ガラス側から見た平面図である。胴本体２１は、三次元の切削・研磨加工により形成され、時計体１を固定する５つの時計体固定部２１１と、ガラス縁４を固定する６つの縁固定部２１４と、裏蓋５を固定する５つの裏蓋固定部２１５とを有している。胴本体２１の材料は特に限定されないが、本実施形態の胴本体２１には金無垢材料が使用されている。
各時計体固定部２１１、各縁固定部２１４、および各裏蓋固定部２１５はそれぞれ、胴本体２１の内周壁２１０における周方向の異なる位置に突設されている。
【００３６】
ここで、時計体１には、各種の輪列やレバー、輪列受け、地板、押さえ板、ステップモータ等が設けられており、時計体１の外周部の形状は時計の平面方向においても厚み方向においても多数の凹凸がある複雑な形状をしている。但し、時計体１の各種の構成部品はまとまり良く配置されており、時計体１の殆どの構成部品が収まる位置１Ａ（図５の一点鎖線）を時計体１の概略の外周部１Ａとみなせる。
【００３７】
胴本体２１における各時計体固定部２１１、各縁固定部２１４、および各裏蓋固定部２１５はそれぞれ、時計体１の概略の外周部１Ａの形状に略相似形となる円形状の固定基準位置Ｘに配置されている。本実施形態の時計体１および胴本体２１は平面視円形状のため、各時計体固定部２１１、各縁固定部２１４、および各裏蓋固定部２１５は、時計体１の平面中心Ｏから同一半径Ｒ内に配置されている。
なお、各時計体固定部２１１、各縁固定部２１４、および各裏蓋固定部２１５は、巻真パイプ９に重ならない位置に設けられている。
【００３８】
各縁固定部２１４は、胴本体２１におけるガラス縁４に近接する位置に設けられている。これらの縁固定部２１４は、断面Ｃ字状の孔２１４Ａを有しており、この孔２１４ＡにはねじＦ４（図２、図３）が挿入される。
【００３９】
各時計体固定部２１１および各裏蓋固定部２１５は胴本体２１における裏蓋５に近接する位置に設けられている。これらの時計体固定部２１１および裏蓋固定部２１５は、胴本体２１の軸線方向における同じ位置（同じ高さ位置）に設けられており、胴本体２１の周方向で隣合う時計体固定部２１１と裏蓋固定部２１５とは互いに連設されている。
時計体固定部２１１は、断面Ｃ字状の孔２１１Ａを有しており、この孔２１１ＡにはねじＦ１（図２、図３）が挿入される。また、裏蓋固定部２１５は、ねじ孔２１５Ａを有しており、このねじ孔２１５ＡにはねじＦ５（図１、図３）がねじ込まれる。
【００４０】
〔２−２．耐磁部材の構成〕
耐磁部材２２は、図４に簡略に図示したが、実際は、時計体１における各種の輪列やレバー、輪列受け、地板、押さえ板等の形状に倣って、時計の平面方向にも縦断面方向にも複雑な形状をしている。この耐磁部材２２も、胴本体２１と同様に三次元の切削・研磨加工により形成されている。
耐磁部材２２は、各時計体固定部２１１、各縁固定部２１４、および各裏蓋固定部２１５が胴本体２１の周方向に点在している部分を除く胴本体２１の内周壁２１０と時計体１との間の空間をほぼ埋めるように形成されている。但し、耐磁部材２２には、時計体１と胴本体２１との間への組み込みを可能とするための空隙が形成されている。
【００４１】
耐磁部材２２における各時計体固定部２１１にそれぞれ対向する部分には、空隙ＳＰ１が形成されており、耐磁部材２２における各縁固定部２１４にそれぞれ対向する部分には、空隙ＳＰ４が形成されている。これらの空隙ＳＰ１，ＳＰ４はそれぞれ、胴本体２１の軸線方向に沿った部分を含んでいる。空隙ＳＰ１，ＳＰ４は、耐磁部材２２を時計の厚み方向に貫通している。
また、耐磁部材２２の外周部におけるガラス縁４に対向する部分には、図示を省略するが６つの縁固定部２１４の間に分散して３つの凹部が形成されている。
【００４２】
〔３．時計体の固定構造〕
時計体１における時計体固定部２１１の孔２１１Ａ（図５）に対向する部分には、ねじ孔１１（図２）が形成されている。時計体固定部２１１の孔２１１Ａに挿入されたねじＦ１（図２、図３）がこの時計体１のねじ孔１１に螺合されることにより、時計体１および耐磁部材２２が胴本体２１に固定される。このねじＦ１は、耐磁部材２２（図４）の空隙ＳＰ１を介して孔２１１Ａおよびねじ孔１１に挿入される。
【００４３】
〔４．ガラス縁の固定構造〕
図６は、ガラス縁４を裏側から見た斜視図である。図７は、胴本体２１およびガラス縁４を裏蓋側から見た平面図である。図６における４Ａは、風防ガラス３（図３）の周縁部が挿入される溝である。
図６に示すように、ガラス縁４の裏面部４Ｂには、環状の弾性部材としてのゴム製パッキンＰＫ１（図１、図２）が配置される溝４１が形成され、この溝４１よりもガラス縁４の内周側には、６つのねじ孔４２と、３つの係合部としての突起４３とが形成されている。
【００４４】
各ねじ孔４２はそれぞれ、図７のように縁固定部２１４に対応している。裏蓋側から各縁固定部２１４の孔２１４ＡにそれぞれねじＦ４（図１、図３）を挿入してねじ孔４２に螺合することによってガラス縁４が胴本体２１に固定される。このねじＦ４は、耐磁部材２２(図４)の空隙ＳＰ４を介して縁固定部２１４の孔２１４Ａおよびガラス縁４のねじ孔４２に設けられる。
各突起４３はそれぞれ、耐磁部材２２に形成された凹部（図示せず）に嵌合している。なお、本実施形態に限らず、時計体固定部２１１に挿入されるねじＦ１の軸線方向に沿った空隙ＳＰ１（図４）のガラス縁４側の周縁部にガラス縁４の突起４３が嵌合されていてもよい。
【００４５】
〔５．裏蓋の固定構造〕
図８は、胴本体２１および裏蓋リング５１を風防ガラス側から見た斜視図である。図８における５１Ａは、裏側ガラス５２（図３）の周縁部が挿入される溝である。
裏蓋リング５１は、裏蓋固定部２１５および時計体固定部２１１を隠す位置に設けられている。
この裏蓋リング５１の上面部５１Ｂには、環状の弾性部材としてのゴム製パッキンＰＫ２（図１、図２）が配置される溝５１１が形成され、溝５１１よりも裏蓋リング５１の内周側には、５つの孔５１２と、３つの突起５１３とが形成されている。
なお、前述したガラス縁４に設けられるパッキンＰＫ１（図１、図２）とパッキンＰＫ２（図１、図２）とは、同じ径のものが使用されている。
【００４６】
各孔５１２はそれぞれ、図８のように裏蓋固定部２１５に対応している。裏蓋リング５１の上面部５１Ｂとは反対側から各孔５１２にそれぞれねじＦ５（図１、図３）を挿入し、ねじ孔２１５Ａに螺合することによって、裏蓋リング５１が胴本体２１に固定される。ねじＦ５と孔５１２との間にはＯリング５１４が介装され、これによって孔５１２が防水されている。
【００４７】
各突起５１３はそれぞれ、耐磁部材２２（図４）における空隙ＳＰ１の裏蓋リング５１側の周縁部に嵌合している。なお、本実施形態に限らず、縁固定部２１４に挿入されるねじＦ４の軸線方向に沿った空隙ＳＰ４の裏蓋リング５１側の周縁部に裏蓋リング５１の突起５１３が嵌合されていてもよい。
【００４８】
〔６．時計の組立〕
以上のような構成の時計の組立について図１〜図３等を参照して説明する。
まず、胴本体２１の内側に、胴本体２１の上端部（風防ガラス３が設けられる側）から時計体１を胴本体２１との間に耐磁部材２２を介在させた状態で収容する。この状態において、裏蓋５側から耐磁部材２２の空隙ＳＰ１を介してねじＦ１（図２）を挿入し、５つのねじＦ１で時計体固定部２１１と時計体１とを固定する。これにより、胴本体２１、耐磁部材２２、および時計体１が一体に組みつけられる。
【００４９】
次に、ガラス縁４を胴本体２１の上端部にパッキンＰＫ１を介装した状態で載せ、ガラス縁４の突起４３（図２、図６）を耐磁部材２２の凹部（図示せず）に嵌めてガラス縁４を胴本体２１に対して位置決めする。なお、ガラス縁４と風防ガラス３とはパッキンを介装して予め組み付けておく。胴本体２１にガラス縁４が位置決めされた状態において、裏蓋５側から耐磁部材２２の空隙ＳＰ４を介してねじＦ４（図２）を挿入し、６つのねじＦ４で縁固定部２１４とガラス縁４とを固定する。
【００５０】
次いで、裏蓋リング５１を胴本体２１の下端部にパッキンＰＫ２を介装した状態で配置し、裏蓋リング５１の突起５１３（図８）を耐磁部材２２の空隙ＳＰ１の周縁部に嵌めて裏蓋リング５１を胴本体２１に対して位置決めする。なお、裏蓋リング５１と裏側ガラス５２とはパッキンを介装して予め組み付けておく。このように胴本体２１に裏蓋リング５１が位置決めされた状態において、裏蓋リング５１の孔５１２にねじＦ５（図１）を挿入し、６つのねじＦ４で裏蓋固定部２１５と裏蓋リング５１とを固定する。以上で、時計体１、胴２、風防ガラス３、ガラス縁４、および裏蓋５が一体に組み立てられる。なお、ガラス縁４と胴本体２１との間はパッキンＰＫ１によって防水され、裏蓋リング５１と胴本体２１との間はパッキンＰＫ２によって防水される。
【００５１】
〔７．本実施形態による効果〕
本実施形態によれば、次のような効果が得られる。
（１）ガラス縁４、裏蓋５、および時計体１のそれぞれの胴２への固定手段がすべてねじ止め構造とされ、固定のためにガラス縁４の全周や裏蓋５の全周、時計体１の全周が必要とならないので、各縁固定部２１４、各裏蓋固定部２１５、および各時計体固定部２１１のそれぞれを時計体１の外周部１Ａにほぼ沿った固定基準位置Ｘに配置することが可能となる。これにより、各固定部２１１，２１４，２１５をいずれも時計体１の同一半径Ｒ内に配置可能となってスペース効率が向上するので、これらの固定部２１１，２１４，２１５を含んで構成される胴本体２１や、胴本体２１に固定されるガラス縁４、裏蓋リング５１のそれぞれを細肉にできる。
【００５２】
（２）また、ねじ止めにより、ねじを固定する部分以外の肉は不要となるため、ガラス縁４、時計体１、および裏蓋５の全周を使う固定構造に比べてガラス縁４や胴２、裏蓋５を軽量化でき、携帯に適する程良い重みの時計を提供できる。
また、本実施形態の胴本体２１は金無垢材料のため、胴本体２１の細肉化により、材料コストを低減できる。
【００５３】
（３）各時計体固定部２１１、各裏蓋固定部２１５、および各縁固定部２１４のそれぞれが互いに胴本体２１の周方向の異なる位置に配置され、耐磁部材２２には空隙ＳＰ４が形成されているため、縁固定部２１４に固定されたねじＦ４を空隙ＳＰ４を介して裏蓋５側から外すことが可能となる。つまり、従来行っていたガラス縁のこじ開けを行わないため、胴本体２１からキズをつけずにガラス縁４を取り外すことが可能となる。
【００５４】
（４）ガラス縁４と胴本体２１との接合部に関し、ガラス縁４と胴本体２１との固定をねじＦ４に、ガラス縁４と胴本体２１との防水をパッキンＰＫ１にそれぞれ分担させている。また、裏蓋リング５１と胴本体２１との接合部に関し、裏蓋リング５１と胴本体２１との固定をねじＦ５に、裏蓋リング５１と胴本体２１との防水をパッキンＰＫ２にそれぞれ分担させている。このように、防水手段および固定手段がねじと弾性部材とに按分されることにより、防水性を有する時計におけるスペース効率が大幅に向上し、従来の防水時計において厚肉に形成されていたガラス縁や裏蓋を薄肉にできる。
【００５５】
（５）各時計体固定部２１１および各裏蓋固定部２１５のうち胴本体２１の周方向で隣合う少なくとも２つが連設されていることにより、それぞれを別々に形成する場合よりも、胴本体２１の内周部の加工を簡単にできる。
【００５６】
（６）胴本体２１と時計体１との間に設けられる耐磁部材２２に空隙ＳＰ４が形成されているため、この空隙ＳＰ４を介して縁固定部２１４にねじＦ４を挿入したり、縁固定部２１４に固定されたねじＦ４を外したりすることが可能である。本実施形態では、時計体１、耐磁部材２２、および胴本体２１が一体に組みつけられた状態のままガラス縁４を胴本体２１から取り外すことができるので、時計の組立後に文字板６を交換したりすることが容易となる。
【００５７】
（７）胴本体２１の周方向に点在する各時計体固定部２１１、各縁固定部２１４、および各裏蓋固定部２１５が設けられる部分を除く時計体１と胴本体２１との間の空間を埋めるように耐磁部材２２が設けられるため、従来の筒状の耐磁板と比べて耐磁部材２２の体積を大きくできる。これによって耐磁性能を向上させることができるうえ、胴本体２１の内側に耐磁部材２２および時計体１が殆ど隙間無く配置された緻密な作りにより、高級感が感じられるようになる。耐磁部材２２の複雑な形状は時計の趣味性の向上に貢献する。
【００５８】
（８）胴本体２１とガラス縁４との間のパッキンＰＫ１と、胴本体２１と裏蓋リング５１との間のパッキンＰＫ２とに同一の径のものが使用されているため、消耗品であるパッキンＰＫ１，ＰＫ２の部品管理などが容易となる。
【００５９】
（９）前述のように時計体１、ガラス縁４、および裏蓋５の固定構造に関するスペース効率が高く、裏蓋リング５１の幅を細くできるため、裏蓋５において裏側ガラス５２が設けられる領域を拡大できる。これにより、裏蓋５の大部分において、裏側ガラス５２を通して時計体１の輪列やレバー等の精密部品が視認可能となるので、時計の外観意匠性を向上させることができる。
【００６０】
（１０）ガラス縁４にそれぞれ設けられた突起４３が耐磁部材２２の凹部と胴本体２１の周方向に係合し、裏蓋リング５１の突起５１３が耐磁部材２２の空隙ＳＰ１の周縁部と胴本体２１の周方向に係合することにより、ねじＦ４，Ｆ５による固定力が補強される。このため、落下衝撃などの際にガラス縁４と胴本体２１との間や裏蓋リング５１と胴本体２１との間に生じるせん断力によってねじＦ４，Ｆ５が破断することを防止できる。これにより、ねじＦ４，Ｆ５のサイズを小さくすることが可能となる。
なお、突起４３および突起５１３は、胴本体２１の周方向に分散してそれぞれ３つずつ設けられているため、どの方向からの衝撃にも対応できる。
なお、時計体固定部２１１にねじＦ１を挿通するための空隙ＳＰ１の周縁部が突起５１３との係合部分を兼ねているため、胴本体２１の内周部の加工が複雑となることなく、耐衝撃性を高くできる。
【００６１】
ここで、本実施形態（図５参照）との比較例として、図９に従来構成を示す。この図９の構成では、胴９２の上端部に図示しないガラス縁が樹脂製パッキン９７によって固定される。また、図示しない時計体は２つのねじ９８によって胴９２に固定され、図示しない裏蓋は４つのねじ９９によって胴９２に固定されている。なお、胴９２と時計体との間には、円筒状の耐磁板が設けられる。なお、図９の胴９２に収容される時計体の径と、本実施形態（図５）における時計体１の径とは同一である。
この図９のような従来例では、ガラス縁と胴９２との固定構造、時計体と胴９２との固定構造、および裏蓋と胴９２との固定構造がそれぞれ別々に設計されているため、ガラス縁、胴９２、および裏蓋が本実施形態の構成（図５）と比べて厚肉かつ大径となる。また、ガラス縁に設けられるパッキン９７の径と裏蓋に設けられるパッキン１０１の径とは相違している。これは、時計が厚くならないように、ガラス縁の固定部（パッキン９７）と、時計体の固定部（ねじ９８）と、裏蓋の固定部（ねじ９９）とがそれぞれ平面的にずらした位置に配置されているためである。
すなわち、本実施形態では、図５のように時計体固定部２１１、縁固定部２１４、および裏蓋固定部２１５が同一半径Ｒ内に配置されているため、従来構成に比較して大幅に細肉化でき、時計の大きさが時計体１の径に対して無駄に大径化しない。また、従来構成では難しかったが、ガラス縁４に用いるパッキンＰＫ１と裏蓋５に用いるパッキンＰＫ２との径とを同一にすることができる。
【００６２】
〔本発明の変形例〕
なお、本発明は前記実施形態には限定されず、各種の変形が可能である。時計体および胴の形状は、前記実施形態のように平面視円形状のものに限らず、四角形、多角形、トノー型、楕円形などの各種の形状であってよい。時計体がどのような形状であっても、時計体を収容する胴の形状は時計体の外周部の形状に対して略相似形に決められることが多い。このため、時計体の外周部の形状に対して略相似形の固定基準位置に時計体固定部、縁固定部、および裏蓋固定部が配置されることにより、前記実施形態と略同様の効果が得られる。
なお、前記実施形態では、各時計体固定部２１１、各縁固定部２１４、および各裏蓋固定部２１５はそれぞれ、固定基準位置Ｘ（図５）よりも胴本体２１の内周側に突出するように形成されており、これらの固定部それぞれの略全体が固定基準位置Ｘの内側に収まるように、すなわち同一半径Ｒ内に配置されていたが、これには限定されない。各時計体固定部、各縁固定部、および各裏蓋固定部がそれぞれ固定基準位置上に配置されていれば、固定基準位置の内周側や外周側に各固定部が突出していても、各固定部の形成領域が時計体の半径方向において重なり合う分、スペース効率向上に寄与できる、つまり、前記実施形態と略同様の効果が得られる。
【００６３】
また、前記実施形態では、時計体１が胴２に風防ガラス３側から収容されていたが、これに限らず、時計体が胴に裏蓋側から収容される構成であってもよい。この構成では、胴の上端部側に時計体固定部および縁固定部が設けられ、胴の下端部側に裏蓋固定部が設けられているとよい。
【００６４】
さらに、各縁固定部、各時計体固定部、および各裏蓋固定部がいずれも、胴における同一高さの位置に設けられていてもよい。前記実施形態における縁固定部２１４が時計体固定部２１１および裏蓋固定部２１５と同一高さに設けられる場合、ねじＦ４（図２）よりも長いねじを使用してガラス縁４と縁固定部２１４とを固定すればよい。
【００６５】
そして、前記実施形態では、裏蓋リング５１におけるパッキンＰＫ２よりも内周側の部分にねじＦ５（図１）が設けられていたが、裏蓋固定部に挿入されるねじはパッキンＰＫ２の外周側に設けられていてもよい。このようにすれば、裏蓋固定部に挿入されるねじの軸周りにＯリングを設けなくてもよい。
【００６６】
なお、本発明において、耐磁部材は必須構成ではない。前記実施形態において耐磁部材２２が設けられていない場合は、胴本体２１の内側（胴本体の内周壁と時計体との間）に形成される空隙を介してねじが挿入される。
【００６７】
前記実施形態の時計は胴および裏蓋を別体で備えていたが、胴と裏蓋とが一体化されたケースを備える時計においても、時計体、ガラス縁、およびケースの固定に関し、各時計体固定部および各縁固定部がそれぞれケースの周方向の異なる位置で且つ、時計体の外周部の形状に略相似形の固定基準位置に配置されることにより、前記実施形態と同様の効果を奏する。
【００６８】
以上、本発明を実施するための最良の構成について具体的に説明したが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形および改良を加えることができるものである。
上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００６９】
【図１】本発明の一実施形態に係る時計の縦断面図。
【図２】前記時計の縦断面図。
【図３】前記時計が備える時計体、胴、ガラス縁、裏蓋などの分解斜視図。
【図４】胴本体および耐磁部材を風防ガラス側から見た平面図。
【図５】胴本体を風防ガラス側から見た平面図。
【図６】ガラス縁の裏側を示す斜視図。
【図７】ガラス縁および胴本体を裏蓋側から示す平面図。
【図８】胴および裏蓋を示す斜視図。
【図９】前記実施形態との比較例として従来の構成を示す図。
【図１０】従来例として時計の縦断面を示す図。
【符号の説明】
【００７０】
１Ａ・・・概略の外周部、１・・・時計体、２・・・胴、３・・・風防ガラス、４・・・ガラス縁、５・・・裏蓋、２１・・・胴本体、２２・・・耐磁部材、４３・・・突起（係合部）、５１・・・裏蓋リング、５２・・・裏側ガラス、２１１・・・時計体固定部、２１４・・・縁固定部、２１５・・・裏蓋固定部、５１３・・・突起（係合部）、Ｆ１・・・ねじ、Ｆ４・・・ねじ、Ｆ５・・・ねじ、ＰＫ１・・・パッキン（弾性部材）、ＰＫ２・・・パッキン（弾性部材）、Ｏ・・・平面中心、Ｒ・・・半径、ＳＰ１・・・空隙、ＳＰ４・・・空隙、Ｘ・・・固定基準位置。
【図１】
0005003373.tif 000002
【図２】
0005003373.tif 000003
【図３】
0005003373.tif 000004
【図４】
0005003373.tif 000005
【図５】
0005003373.tif 000006
【図６】
0005003373.tif 000007
【図７】
0005003373.tif 000008
【図８】
0005003373.tif 000009
【図９】
0005003373.tif 000010
【図１０】
0005003373.tif 000011